(57)【要約】      （修正有）【課題】行楽あるいは災害時に、簡便に生活用水を供給できる簡易貯水槽を提供する。【解決手段】市販されている複数のポリタンク本体１をホース付容器穴締め付け具のオスネジ８を用いて連結する。多数のポリタンク本体１を連結することにより、簡単に容量の大きい簡易貯水槽を造ることができる。ポリタンク本体１の水取り口にジョイントネジ５と蛇口メス受けネジ６を介して、水道蛇口２を取り付ける。【選択図】図１
2007032250.tif 000002
【特許請求の範囲】
【請求項１】
市販されている（２００ｍｍｌ入れ）ポリタンクを本図に見られる様に、これを蜂の巣の営巣状にジョイントと強靭なパイプでコンパクトな物から、大規模構造物に至るまで、足場パイプの補強材を得て、最終的には、水入れポリタンクをラックで建造物にする、水タンク擁壁や、水タンク収納器として、これをブロック状に組み立てて行けるものとし、地上数百メートルの構造物にもなる本発明ラックの中に数百、数千個のポリタンク連携物を入れられ、収納保管できるこの強靭なラック「ポリタンク、ラック（テオリーくん３７２号）」を発明、創作する請求。
【請求項２】
市販されているポリタンクの水取入口に今回発明される（水道）蛇口が簡単に取り付けられる様にポリタンク水取り口に合わせた（ホース）蛇口の締め付け具：（テオリーくん３７１号）」をクリクリと回わして、別個、市販の蛇口とポリタンクを簡易に連結できる連結具を発明、創作する請求。
【請求項３】
市販されているポリタンクの水取り口ネジ部に合わせて蛇口のネジ部（オス、メス、ワンタッチ、盲板）を創作し、これをして、ポリタンクでありながら、水道、蛇口ともなるポリ、ジャコ：テオリーくん３７０号を創作、発明し、このネジ部が安売り市販されるだけで既存するポリタンクと蛇口は一つの簡易水道となった。
【発明の詳細な説明】
【技術分野】
【０００１】  筆者は、土木建設業を経験した事があり、海外で、科学者としての建造物をする設計技師として、相談を受けた事もあった。しかしながら大規模、土木施行現場や、小規模、土木施行現場を問わず、まず第一に市街化調整区域（荒地）に設計、施行事務所の必要に当たり、コンテナ、ハウス（プレハブ）を持って行き、そこにポンと置くだけの仮り小屋の多い時の他、【０００２】「土木工事は兵法の一環なり。」をする、兵法論理学法の考え方の元、「建築、建造物の造営の基本は、耐火、被災力に強靭にあって、外部、部外者の侵入を許さず、被災時にその脱出口が容易であり、有事に際して、その建造物が人の命を養う分量の充分な、水道、トイレ、食糧、光熱施設の七つを取り備えていなければならない事を基本、技術としてこれらは解いており、その中の水を取り掲げて、【０００３】  筆者は、自分の持ち家は持つものの、常に、この七つの構造を兼ね備え持つコンテナハウスをカタツムリの様にして持ち歩き、地方に行っては、あらゆる研究をしていた。その時、今回は発明される物の内に、テオリーくん３７０号、３７１号、３７２号をする、水道施設の無い所で使用する、ポリジャコウ創作品を５段構えのポリタンラックに収納し、コンテナハウス傍に常設し、流し台のすぐ上に置くと、近くの水道施設まで、ポリタンラック最上階の空になったポリタンクのみを取り外して、これを持って水を汲みに行く事が出来、これを生活用水にして、この様にして使用する時、大変便利の良い物となり、この場合、ポリタンラック内に収納されている、最下位にある、ポリタンクにのみ（水道）蛇口を取り付け、他のポリタンラックの全てにホース付、穴開き容器締め付け具でポリタンク内の全ての水を連結させて置くと、サイホンの原理と、大気による水の高位差現象が起こり、携帯水道、携帯水洗トイレ、携帯シャワー、洗車、防火用水にして使用できる技術力があった。
【背景技術】
【０００４】特願、２００４−２１７９９２：楊子付マッチ参照されたし）（特願、２００４−２７８４５７：家具付車両参照されたし）（特願、２００５−１１８９２９、陣羽織参照されたし）【０００５】（特願、２００５−１４６０２６：示現流参照されたし）
【発明の開示】
【発明が解決しようとする課題】
【０００６】「水を収める者は天下を収める。」孫子の兵法にあった。昔し、日本のヒミコの時代に魏志倭人伝に登場する中国には魏、呉、蜀をして、呉国に在り、この完成した孫子、若しくは、孫呉の兵法を基いとして、あらゆる戦術が未だ今日の世に編成され続けている頃、かつて、【０００７】  先の日本国家、国政を二分して争う大戦争の戦略基盤ともなる（大化の改新）、智将、楠木正成は、自らの領国を水分（シマクリ）を称し、その拠点を赤坂城に移す事、５００百人、防衛軍に対して、２０万人の敵を引き付けて、一歩も譲らず、千早城１，０００人の防衛軍に対して８０万人の敵を引き受けて、一歩も、譲らぬ軍略家振りを後の兵法学者達に深く印象付ける所、この兵法を使い切った者は日本の楠木正成をおいて他にはいない。と思われた。【０００８】  楠木正成は、自らの領国に、多くの土木、建築技師を顧用しており、灌漑用水を作り、多くの大工を用いて、領民の家、軒下には夥しい桶を保有させていたものであり、いざ、有事（戦争）ある時領民は、一日、一夜のうちに、堅固な城塞にこれを持ち運び、これらが常日頃から準備されていると、後の兵糧の確保は実にし易いものとなったからであった。「兵糧は１と月。水三日。」と言って、水を絶たれると人はどうにも生きて行けない事の由以であったからであった。領国の専有にある、領主達は、領民一人一人の水源にまで必ず気付っていた。【０００９】更後、武田信玄、豊臣秀吉、徳川家康をして、この技師の多くを彼等はこれを領内に顧用し、それぞれが善政（領内を水で潤し）し続けた。【００１０】  筆者は土木、建築業に興味が生じ、「日本国にある土木施行管理技士免許」をとってみたい。と思い、この免許取得に挑戦した事があり、この免許には、一級と二級があり、やがて、その取得に成功した時の事だった。送附されて来るその合格証の入った封書を受け取り、その差し出し人名を見ると、「内閣管房、内閣調査室」と書かれてあるのに驚き、「さすがである。」と頷くものであったが、巷にその第一号取得者は新潟県長岡市出身、元、内閣総理大臣、田中角栄氏と聴かされた時、更に驚きを隠せずにはいなかった。土木経験の総理大臣がかつての国会におられたからであった。【００１１】  近年、久しく、戦争こそ無い物の、天変地異、天災、被災の多い我が国において、いざ国内において大規模災害が発生した事を考える事があった。（２００７−          号、地震発見器参照されたし）どうなるものであろうか？果して、【００１２】  日本国民一人一人の各家庭台所に、水桶が常設、常備されているものであろうか？と思った時、本課題が与えられ、本発明が起った。
【課題を解決する為の手段】
【００１３】  近年、地震、噴火・・・・・他による、一市町村は疎か！多県を丸呑みにする災害が頻発しており、落ち付いた頃、又、勃発していた。
極東において、戦争だけは起こしてはならなかった。然るにその準備も国は常日頃から心がけ、国民一人一人の財力の中に貯えさせて置く事が、有益と推意される中、現代の世にはポリタンクという大変便利な水瓶が、容易に人々の手に入手され易く、各台所に常設され易かった。
【００１４】  ところが、このポリタンクも、有事、被災地等で給水車から、被災者が、水を分配してもらう時、小分けされた飲料水を運搬し、貯蔵するのには、大変便利であったが、それを台所に置いて、直接、直に、生活用水として使用するには、もう一工夫の便利さに欠け、それが大変使いずらいものである時、ワンコインショップ等で本発明され、ポリタンクと蛇口を簡単に連結できる連結ネジ（テオリー３７１号）を創作し販売した場合、被災地は疎か、キャンプ地、他、水道施設の滞る工事現場のプレハブの台所で大変に重宝され、小型ボートで海上に出航した際にも一日の飲料、生活用水に困る事が無く、使い勝手は無限に広ってゆくものとなった。蛇口には、シャワーも付けられたからであった。
【発明の効果】
【００１５】  筆者は自分の家は持つもののアパート暮しが長いもの≪自宅に盗聴、盗撮がある。と気が付いた（２００４−３１４７９６参照）から≫であった。それは、その後において、
【００１６】  その後、バブル経済の崩壊と共に、地すべり式に崩れる一億総中流意識の瓦解と共に、大規模公園、河川敷に集まってくる、５０才以上のホームレスの夥しき人口の年々増加を数え、この調査をする為、何の設備も無いコンテナハウス一コを買い込み、筆者自身、
【００１７】  市町村に黙認されるままに、戦災（この場合、政治経済国内戦争の敗戦）で家、屋敷、土地、そして全ての財産を失い、公園、河川敷にブルーシートを張って生活する、日本国内のホームレスの集り、群集の中に、紛れ込んで、筆者の今回発明される「ポリ蛇口。」（テオリー３７０号）バッタル（２００５−          号参照参）。カワラケ冷蔵庫（２００４−２７８４５７号参照）の三種の神器を持ち込み、３年間生活をしてみた所、一切の不自由の無いものとなった。
【発明を実施する為の最良の形態】
【００１８】  本発明品は現在、市場に多くの販売網を持ち、大量生産に成功し、今尚大量に売れ続けているポリタンクの生産販売を延ばすべくこれに蛇口を付け、ポリタンクのネジ切りを利用するこれに合う合わせネジを創作し、（水道）蛇口に合わせ付けたり、直接付けた時、ポリタンクは蛇口付、簡易水道となり、給水貯蔵タンクとなり、小分けする水溶物の運搬器にもなるものとなった。（薬品を取り扱う会社にも大変な便利となった。）
【００１９】又、穴開け、密閉ネジをオス、メスにして創作し、（水道）蛇口をこれに取り付ける時、世のあらゆる貯槽タンクにしたい！と思われる物全てに丸い穴を予め開けて置けば、これらを貯水、貯蔵タンクにする事が出来る所となった。（直接ポリタンクに付けてもよい：Ｔ３７１号）
【実施例】
【００２０】  ここだけの話しであったが、大変申し訳なくも思いながら、特許庁様を聖公堂、そのホームページを筆者のザンゲの場に借りて、それを告白するにあたり、筆者は、仕事の行き帰り、ホームレスの集まる公園で、本発明される「ポリ蛇口」２００ｌづつの水を毎日汲ませていただいて、１０年間、アパートの水道料をストップしたまま一切支払った事がなかった。それくらいに、本発明品は便利がよかった。【００２１】  勿論、電気料も支払った事が無かった。これについては、別特許論文、「バッタル」「カワラケ冷蔵庫」を読んでいただけると分り易くに思われる次第の中、それらで浮かせた生活費は全て学術研究に費させていただく事は、学生時代からそうであり、ハングリーの精神の中によい発明は生まれるものであり、読者にはお許しいただきたかった。簡単に言うとコドモの基地遊びにも以ていたが、警察も「・・・・・お前、本当に４９才か？」と文句を言いながら黙認して下さっていた。申し訳ありません。
【産業上利用の可能性】
【００２２】  国代議士のうち、４０才〜６０才位いまでを若手議員と呼び、６０才〜８０才位までを老練議員と呼ぶらしく、老練代議士では第二次軍事世界大戦で、日本国家が敗戦し、国土は焼土と化し、飢える貧民化した国民に対して、「貧乏人は麦を喰え！」と励ましながらも、破綻する国庫財源を尚も開きつつ、お助け小屋を作り、多くの商品券を国内にバラまき、祖国同胞を信じ続けたかつての日本の偉大な指導者達にみまがい、
【００２３】現在、履き違いを起こす、日本国家をして、全世界経済の現状もちゃんと認識出来ず、第二次軍事世界大戦後、これだけの大繁栄を来たした優秀の国、日本国内において、全世界を圧倒する程までに在って有り余る株券を豊富にして日々生産され続ける、内需拡大政治の野放し政策により、生産物資源は、Ｙバリューの物（デフレ物資）と日々変化し、勤勉な日本国民一人一人の各家庭金庫に在ってもペイオフ解禁を恐れ、流動しなくなっている（郵便貯金を含む）、国民一人一人の大切な資金源をして、この国民の信頼を物ともせず、この国民（特に中小企業）を貧民と思い違いをし続ける老練と呼ばれる代議士達は、大型増税を国民に余儀無くとし、国庫、財源を開放（増税、国家予算の修正）し続け、
【００２４】  必要も無い事と思われる次第の国庫資金を無造作に国内にバラ蒔き続けるデタラメの限りの政治が独り歩きして止まない時、筆者は、Ｙバリューとなり、デフレを招く、国内にあるあらゆる生産大量物資の限りに眼を付け、これ等の物品に極少の０．０３％づつ、（消費税５％の１／１００以下の生産コストを各御企業様に御負担金）Ａ係数、係費としてこれを用いて、発明、発案を負荷した時、Ｙバリューとしてデフレ（不景気）を招く、品々が、Ｘバリュー品として、甦えり、インフレ（企業の利益）を招く高景気物品へと生まれ変わる事を知り、特許庁様をパートナーに、日本国家の最後の景気改復対策に民間人として、全知全能を尽くして望む時、今回の発明、発案としては、建築業界に余る水道蛇口と、
【００２５】  国内に有り余ってＹバリュー化し、値崩しを起こしている、生産業界に在るポリタンクを合体させた時、夏の行楽地、被災地は疎か、生産工場に常備、常設される小分けされては、消費物となり易いオイルタンク、薬品工場にある薬品入れに供せられる、大変使い勝手の良いポリ、蛇口（ポリ、ジャックと呼称）テオリーくん第３７０号がＸバリューとして、生産甦生され、ポリタンク、生産会社と、蛇口生産会社では、異常を思わせる高値の売り上げ、増進が幅広く期待される事が推意される時、本発明は産業上利用の可能性の高い物となった。
【図面の簡単な説明】
【図１】
【００２６】  市販されている、本図に見られる２００ｍｍｌ入れポリタンクをこれ専用に作る荷台に乗せた正面図と平面図であるが、ポリタンクの水取入れ、取り出し口や、ポリタンクに故意に穴を開けて、そこに使用する締め付けネジのオスとメスを市販されている水道蛇口に取り付け、本発明される『ポリ、蛇口（ポリ、ジャコウと呼称：テオリーくん３７０号）』をして、水、小分け、貯水運搬タンクとなる、創作製品に供せられる図であったが、【００２７】  『ポリ、蛇口：テオリーくん３７０号』の製品の認意（下部）位に穴を開け、その穴をホース、水道、兼用機能を重ね備える（盲板あり）オス、メス併用『容器穴締め付け具：テオリーくん３７１号』を多くのポリタンクを横に並べ、穴を開けて、これに取り付けた時、個々、バラバラであった。２００ｍｍｌ入れポリタンクがドラム缶（２０００ｍｍｌ）以上の容水量を貯える、半透明で、必要時には、パーツ的に、その部所の水取替え（検査）も出来、カルキの保充が出来、検値できるものとなった。【００２８】  本図は、筆者が某国、○○○○基地の貯水タンクを設計した時、強靭なパイプラックをジョイントで結合し、地上１８０ｍ以上まで、これを建ち、揚げ、単管足場を支えにする、ナフサ・タンク等危険物の遮光、クーラー、水擁壁、消火用水にも役立つ軍事秘密建設構造物であり、未だ公表がなく、秘密にする必要用途も無いものとなった設計図の一部であるが日本国家国民の財産にされたら幸いに思われる次第。
【附号の説明】
１．ポリタンク本体。２．水道蛇口。３．ビスで外せる蛇口のハンドル。４．ハンドルを逆さにして蛇口に付けると、ポリタンクの中に蛇口本体が入ります。５．ポリタンクと蛇口を直接簡単にクルクル回わし付けられるジョイントネジ（テオリーくん３７１号本体）６．蛇口を回わし込みながらポリタンクに取り付ける為の蛇口メス受けネジ（内ネジ）。７．盲パット（水流を遮断する時使用するパット）。８．ポリタンクの複数、穴開け、連結して使用する際、ホース付容器穴締め付け具のオスネジ。９．ポリタンクの複数穴開け連結して使用する際、ホース付容器穴締め付け具のメス、ネジ。１０．蒸発水分。１１．ポリタンクに附着し、冷却効果を起こす水滴。１２．ポリタンク壁締め付けパット。１３．強靭なポリタンク受け、パイプ、ラック。１４．パイプラック、ジョイント。１５．グレーチング。１６．クランプ１７．単管足場。１８．ポリタンク連結ホース。１９．シャワー。２０．洗車ノズル。２１．カルキ検値器。２２．陣羽識
【図１】
2007032250.tif 000003
【手続補正書】
【提出日】平成17年7月28日(2005.7.28)
【手続補正１】
【補正対象書類名】明細書
【補正対象項目名】全文
【補正方法】変更
【補正の内容】
【発明の詳細な説明】
【技術分野】
【０００１】  筆者は土木建築業を経験した事があり、科学者として、建造物をする設計技師として、海外でも相談を受けた事があった。「水が常に一定に流れ、澱みの無い事の分る貯水タンクを○○○○基地、及び船舶貯水室内に作って（設計）して欲しい。」との事であったが、本発明品、ポリジャコ百個をポリタンクに入れ、一番下のポリジャコ容器から、水２００ｍｍｌを完全に抜き取れば、残りの９９個のポリタンラックの水が完全に次の容器内に移り進む原理により、その日々使用する水量により、ポリタンク内塩素、含有量が自在となる技術力があった。【０００２】「土木工事は兵法の一環なり。」をする、兵法論理学法の考え方の元、「建築、建造物の造営の基本は、耐火、被災力に強靭にあって、外部、部外者の侵入を許さず、被災時にその脱出口が容易であり、有事に際して、その建造物が人の命を養う分量の充分な、水道、トイレ、食糧、光熱施設の七つを取り備えていなければならない事を基本、技術としてこれらは解いており、その中の水を取り掲げて、【０００３】  筆者は、自分の持ち家は持つものの、常に、この七つの構造を兼ね備え持つコンテナハウスをカタツムリの様にして持ち歩き、地方に行っては、あらゆる研究をしていた。その時、今回は発明される物の内に、テオリーくん３７０号、３７１号、３７２号をする、水道施設の無い所で使用する、ポリジャコウ創作品を５段構えのポリタンラックに収納し、コンテナハウス傍に常設し、流し台のすぐ上に置くと、近くの水道施設まで、ポリタンラック最上階の空になったポリタンクのみを取り外して、これを持って水を汲みに行く事が出来、これを生活用水にして、この様にして使用する時、大変便利の良い物となり、この場合、ポリタンラック内に収納されている、最下位にある。ポリタンクにのみ（水道）蛇口を取り付け、他のポリタンラックの全てにホース付、穴開き容器締め付け具でポリタンク内の全ての水を連結させて置くと、サイホンの原理と、大気による水の高位差現象が起こり、携帯水道、携帯水洗トイレ、携帯シャワー、洗車、防火用水にして使用できる技術があった。
【背景技術】
【０００４】特願、２００４−２１７９９２：揚子付マッチ参照されたし）（特願、２００４−２７８４５７：家具付車両参照されたし）（特願、２００５−１１８９２９、陣羽織参照されたし）【０００５】（特願、２００５−１４６０２６：示現流参照されたし）
【発明の開示】
【発明が解決しようとする課題】
【０００６】「水を収める者は天下を収める。」孫子の兵法にあった。昔し、日本のヒミコの時代に魏志倭人伝に登場する中国には魏、呉、蜀をして呉国に在り、この完成した孫子、若しくは、孫呉の兵法を基いとして、あらゆる戦術が未だ今日の世に編成され続けている頃、かって【０００７】先の日本国家国政を二分して争う大戦争の戦略基盤ともなる（大化の改新）、智将、楠木正成は、自らの領国を水分（ミマクリ）を称し、その拠点を赤坂城に移す事、５００百人、防衛軍に対して、２０万人の敵を引き付けて、一歩も譲らず、千早城１，０００人の防衛軍に対して８０万人の敵を引き受けて、一歩も、譲らぬ軍略家振りを、後の兵法学者達に深く印象付ける所、この兵法を使い切った者は日本の楠木正成をおいて他にはいない。と思われた。【０００８】
2007032250.tif 000004
桶を保有させていたものであり、いざ、有事（戦争）ある時領民は、一日、一夜のうちに、緊固な城塞にこれを持ち運び、これらが常日頃から準備されていると、後の兵糧の確保は実にし易いものとなったからであった。「兵糧は１と月。水三日。」と言って、水を絶たれると人はどうにも生きて行けない事の由以であったからであった。領国の専有にある、領主達は、領民一人一人の水源にまで必ず気付っていた。【０００９】更後、武田信玄、豊臣秀吉、徳川家康をして、この技師の多くを彼等はこれを領内に顧用し、それぞれが善政（領内を水で潤し）し続けた。【００１０】  筆者は土木、建築業に興味が生じ、「日本国にある土木施行管理技士免許」をとってみたい。と思い、この免許取得に挑戦した事があり、この免許には、一級と二級があり、やがて、その取得に成功した時の事だった。送附されて来るその合格証の入った封書を受け取り、その差し出し人名を見ると、「内閣管房、内閣調査室」と書かれてあるのに驚き、「さすがである。」と頷くものであったが、巷にその第一号取得者は新潟県長岡市出身、元、内閣総理大臣、田中角栄氏と聴かされた時、更に驚きを隠せずにはいなかった。土木経験の総理大臣がかつての国会におられたからであった。【００１１】  近年、久しく、戦争こそ無い物の、天変地異、天災、被災の多い我が国において、いざ国内において大規模災害が発生した事を考える事があった。（２００７−          号、地震発見器参照されたし）どうなるものであろうか？果して、【００１２】  日本国民一人一人の各家庭台所に、水桶が常設、常備されているものであろうか？と思った時、本課題が与えられ、本発明が起った。
【課題を解決する為の手段】
【００１３】  近年、地震、噴火・・・・・他による、一市町村は疎か！多県を丸呑みにする災害が頻発しており、落ち付いた頃、又、勃発していた。極東において、戦争だけは起こしてはならなかった。然るにその準備も国は常日頃から心がけ、国民一人一人の財力の中に貯えさせて置く事が、有益と推意される中、現代の世にはポリタンクという大変便利な水瓶が、容易に人々の手に入手され易く、各台所に常設され易かった。
【００１４】  ところが、このポリタンクも、有事、被災地等で給水車から、被災者が、水を分配してもらう時、小分けされた飲料水を運搬し、貯蔵するのには、大変便利であったが、それを台所に置いて、直接、直に、生活用水として使用するには、もう一工夫の便利さに欠け、それが大変使いずらいものである時、ワンコインショップ等で本発明され、ポリタンクと蛇口を簡単に連結できる連結ネジ（テオリーくん３７１号）を創作し販売した場合、被災地は疎か、キャンプ地、他、水道施設の滞る工事現場のプレハブの台所で大変に重宝され、小型ボートで海上に出航した際にも一日の飲料、生活用水に困る事が無く、使い勝手は無限に広ってゆくものとなった。蛇口には、シャワーも付けられたからであった。
【発明の効果】
【００１５】
2007032250.tif 000005
【００１６】  その後、バブル経済の崩壊と共に、地すべり式に崩れる一億総中流意識の瓦解と共に、大規模公園、河川敷に集まって
2007032250.tif 000006
【００１７】  市町村に黙認されるままに、戦災（この場合、政治経済国内戦争の敗戦）で家、屋敷、土地、そして全ての財産を失い、公園、河川敷にブルーシートを張って生活する、日本国内のホームレスの集り、群集の中に、粉れ込んで、筆者の今回発明される「ポリ蛇口。」（テオリーくん３７０号）バッタル（２００５−          号参照参）。カワラケ冷蔵庫（２００４−２７８４５７号参照）の三種の神器を持ち込み、３年間生活をしてみた所、一切の不自由の無いものとなった。
【発明を実施する為の最良の形態】
【００１８】  本発明品は現在、市場に多くの販売網を持ち、大量生産に成功し、今尚大量に売れ続けているポリタンクの生産販売を延ばすべくこれに蛇口を付け、ポリタンクのネジ切りを利用するこれに合う合わせネジを創作し、（水道）蛇口に合わせ付けたり、直接付けた時、ポリタンクは蛇口付、簡易水道となり、給水貯蔵タンクとなり、小分けする水溶物の運搬器にもなるものとなった。（薬品を取り扱う会社にも大変な便利となった。）
【００１９】
2007032250.tif 000007
全てに丸い穴を予め開けて置けば、これらを貯水、貯蔵タンクにする事が出来る所となった。（直接ポリタンクに付けてもよい：Ｔ３７１号）
【実施例】
【００２０】  ここだけの話しであったが、大変申し訳なくも思いながら、特許庁様を聖公堂、そのホームページを筆者のザンゲの場に借りて、それを告白するにあたり、筆者は、仕事の行き帰り、ホームレスの集まる公園で、本発明される「ポリ蛇口」２００ｌづつの水を毎日汲ませていただいて、１０年間、アパートの水道料をストップしたまま一切支払った事がなかった。それくらいに、本発明品は便利がよかった。【００２１】  勿論、電気料も支払った事が無かった。これについては、別特許論文、「バッタル」「カワラケ冷蔵庫」を読んでいただけると分り易くに思われる次第の中、それらで浮かせた生活費は全て学術研究に費させていただく事は、学生時代からそうであり、ハングリーの精神の中によい発明は生まれるものであり、読者にはお許しいただきたかった。簡単に言うとコドモの基地遊びにも以ていたが、警察も＿＿＿＿＿＿＿＿＿＿＿＿＿＿＿＿＿文句を言いながら黙認して下さっていた。申し訳けありません。
【産業上利用の可能性】
【００２２】  国代議士のうち、４０才〜６０才位いまでを若手議員と呼び、６０才〜８０才位までを老練議員と呼ぶらしく、老練代議士では第二次軍事世界大戦で、日本国家が敗戦し、国土は焼土と化し、飢える貧民化した国民に対して、「貧乏人は麦を喰え！」と励ましながらも、破綻する国庫財源を尚も開きつつ、お助け小屋を作り、多くの商品券を国内にバラまき、祖国同胞を信じ続けたかつての日本の違大な指導者達にみまがい、
【００２３】現在、履き違いを起こす、日本国家をして、全世界経済の現状もちゃんと認識出来ず、第二次軍事世界大戦後、これだけの大繁栄を来たした優秀の国、日本国内において、全世界を圧倒する程までに在って有り余る株券と豊富にして日々生産され続ける、内需拡大政治の野放し政策により、生産物資源は、Ｙバリューの物（デフレ物資）と日々変化し、勤勉な日本国民一人一人の各家庭金庫に在ってもペイオフ解禁を恐れ、流動しなくなっている（郵便貯金を含む）、国民一人一人の大切な資金源をして、この国民の信頼を物ともせず、この国民（特に中小企業）を貧民と思い違いをし続ける老練と呼ばれる代議士達は、大型増税を国民に余儀無くとし、国庫、財源を開放（増税、国家予算の修正）し続け、
【００２４】  必要も無い事と思われる次第の国庫資金を無造作に国内にバラ蒔き続けるデタラメの限りの政治が独り歩きして止まない時、筆者は、Ｙバリューとなり、デフレを招く、国内にあるあらゆる生産大量物資の限りに眼を付け、これ等の物品に極少の０．０３％づつ、（消費税５％の１／１００以下の生産コストを各御企業様に御負担金）Ａ係数、係費としてこれを用いて、発明、発案を負荷した時、Ｙバリューとしてデフレ（不景気）を招く、品々が、Ｘバリュー品として、甦えり、インフレ（企業の利益）を招く高景気物品へと生まれ変わる事を知り、特許庁様をパートナーに、日本国家の最後の景気改復対策に民間人として、全知全能を尽くして望む時、今回の発明、発案としては、建築業界に余る水道蛇口と、
【００２５】  国内に有り余ってＹバリュー化し、値崩しを起こしている、生産業界に在るポリタンクを合体させた時、夏の行楽地、避暑地は疎か、生産工場に常備、常設される小分けされては、消費物となり易いオイルタンク、薬品工場にある薬品入れに供せられる、大変使い勝手の良いポリ、蛇口（ポリ、ジャックと呼称）テオリーくん第３７０号がＸバリューとして、生産甦生され、ポリタンク、生産会社と、蛇口生産会社では、異常を思わせる高値の売り上げ、増進が幅広く期待される事が推意される時、本発明は産業上利用の可能性の高い物となった。
【図面の簡単な説明】
【図１】
【００２６】  市販されている、本図に見られる２００ｍｍｌ入れポリタンクをこれ専用に作る荷台に乗せた正面図と平面図であるが、ポリタンクの水取入れ、取り出し口や、ポリタンクに故意に穴を開けて、そこに使用する締め付けネジのオスとメスを市販されている水道蛇口に取り付け、本発明される『ポリ、蛇口（ポリ、ジャコウと呼称：テオリーくん３７０号）』をして、水、小分け、貯水運搬タンクとなる、創作製品に供せられる図であったが、【００２７】  『ポリ、蛇口：テオリーくん３７０号』の製品の認意（下部）位に穴を開け、その穴をホース、水道、兼用機能を重ね備える（盲板あり）オス、メス併用『容器穴  締め付け具：テオリーくん３７１号』を多くのポリタンクを横に並べ、穴を開けて、これに取り付けた時、個々、バラバラであった。２００ｍｍｌ入れポリタンクがドラム缶（２０００ｍｍｌ）以上の容水量を貯える、半透明で、必要時には、パーツ的に、その部所の水取替え（検査）も出来、カルキの保充が出来、検値できるものとなった。【００２８】  本図は、筆者が謀国、○○○○基地の貯水タンクを設計した時、強靱なパイプラックをジョイントで結合し、地上１８０ｍ以上まで、これを建ち、揚げ、単管足場を支えにする、ナフサ、タンク等危険物の遮光、クーラー、水擁壁、消火用水にも役立つ軍事秘密建設構造物であり、未だ公表がなく、秘密にする必要用途も無いものとなった設計図の一部であるが日本国家国民の財産にされたら幸いに思われる次第。
【附号の説明】
１．ポリタンク本体。２．水道蛇口。３．ビスで外せる蛇口のハンドル。４．ハンドルを逆さにして蛇口に付けると、ポリタンクの中に蛇口本体が入ります。５．ポリタンクと蛇口を直接簡単にクルクル回わし付けられるジョイントネジ（テオリーくん３７１号本体）６．蛇口を回わし込みながらポリタンクに取り付ける為の蛇口メス受けネジ（内ネジ）。７．盲パット（水流を庶断する時使用するパット）。８．ポリタンクの複数、穴開け、連結して使用する際、ホース付容器穴締め付け具のオスネジ。９．ポリタンクの複数、穴開け連結して使用する際、ホース付容器穴締め付け具のメス、ネジ。１０．蒸発水分。１１．ポリタンクに附着し、冷却効果を起こす水滴。１２．ポリタンク壁締め付けパット。１３．強靱なポリタンク受け、パイプ、ラック。１４．パイプラック、ジョイント。１５．グレーチング。１６．クランプ１７．単管足場。１８．ポリタンク連結ホース。１９．シャワー。２０．洗車ノズル。２１．カルキ検値器。２２．陣羽織
【手続補正２】
【補正対象書類名】図面
【補正対象項目名】全図
【補正方法】変更
【補正の内容】
【図１】
2007032250.tif 000008